(57)【特許請求の範囲】
【請求項１】
ベースプレートと、
ベースプレートの表面に対して第１の軸と第２の軸とを介して両持ちされる格好で揺動可能なスィングプレートと、
スィングプレートの表面に対して第３の軸と第４の軸とを介して両持ちされる格好で揺動可能な補助スィングプレートと、を備え、
第１の軸と第２の軸とを介した揺動によって、スィングプレートをベースプレートに対して調節可能となっており、
第３の軸と第４の軸とを介した揺動によって、補助スィングプレートの表面に取り付けたワークをスィングプレートに対して調節可能となっている位置合わせ治具であって、
スィングプレートは、ベースプレートに対して第１の軸と第２の軸とを介して軸方向にスライド可能となっており、および／または、補助スィングプレートは、スィングプレートに対して第３の軸と第４の軸とを介して軸方向にスライド可能となっており、
第１の軸と第２の軸との軸芯ラインと、第３の軸と第４の軸との軸芯ラインとは、直交するように設定されている位置合わせ治具。
【発明の詳細な説明】
【技術分野】
【０００１】
本発明は、位置合わせ治具に関する。
【背景技術】
【０００２】
従来、ワークに対して各種の装置を介して加工（例えば、孔開け、締め付け、測定等）を施すとき、この加工を施すワークを各種の装置に対して位置合わせするための位置合わせ治具が使用されている。ここで、下記非特許文献１には、位置合わせ治具として、ベースプレートと、このベースプレートに対して揺動可能なスィングプレートとから成っており、このスィングプレートに取り付けたワークをベースプレートに対して調節可能となっているものが開示されている。これにより、ベースプレートに対して傾斜させた状態でワークを保持できる。したがって、この傾斜させた状態でのワークの位置合わせを簡便に実施できる。
【先行技術文献】
【非特許文献】
【０００３】
【非特許文献１】中央精機株式会社「ユニット製品総合カタログ３８号」、Ｐ．６５７
【発明の概要】
【発明が解決しようとする課題】
【０００４】
しかしながら、上述した非特許文献１の技術では、傾斜させた状態でのワークの位置合わせを簡便に実施できるが、スライドさせた状態でのワークの位置合わせを実施できなかった。
【０００５】
本発明は、このような課題を解決しようとするもので、その目的は、傾斜させた状態でのワークの位置合わせを簡便に実施できつつ、スライドさせた状態でのワークの位置合わせも実施できる位置合わせ治具を提供することである。
【課題を解決するための手段】
【０００６】
本発明は、上記の目的を達成するためのものであって、以下のように構成されている。
請求項１に記載の発明は、ベースプレートと、ベースプレートの表面に対して第１の軸と第２の軸とを介して両持ちされる格好で揺動可能なスィングプレートと、スィングプレートの表面に対して第３の軸と第４の軸とを介して両持ちされる格好で揺動可能な補助スィングプレートと、を備え、第１の軸と第２の軸とを介した揺動によって、スィングプレートをベースプレートに対して調節可能となっており、第３の軸と第４の軸とを介した揺動によって、補助スィングプレートの表面に取り付けたワークをスィングプレートに対して調節可能となっている位置合わせ治具である。スィングプレートは、ベースプレートに対して第１の軸と第２の軸とを介して軸方向にスライド可能となっており、および／または、補助スィングプレートは、スィングプレートに対して第３の軸と第４の軸とを介して軸方向にスライド可能となっており、第１の軸と第２の軸との軸芯ラインと、第３の軸と第４の軸との軸芯ラインとは、直交するように設定されている。
【０００７】
請求項１の発明によれば、従来技術と同様に、ベースプレートに対して傾斜させた状態でワークを保持できる。したがって、この傾斜させた状態でのワークの位置合わせ（調節）を簡便に実施できる。また、ベースプレートに対して傾斜させた状態でワークを保持できる。したがって、スライドさせた状態でのワークの位置合わせ（調節）も簡便に実施できる。また、ワークの傾斜やスライドを２方向にできる。したがって、ワークの調節の範囲を広げることができる。
【図面の簡単な説明】
【００１０】
【図１】本発明の実施例に係る位置合わせ治具の全体斜視図である。
【図２】図１の分解図である。
【図３】図１の平面図である。
【図４】図１の正面図である。
【図５】図１の側面図である。
【図６】図３の主要部の拡大図である。
【図７】図６において、ベースプレートに対して下スィングプレートをスライドさせた状態を示す図である。
【発明を実施するための形態】
【００１１】
以下、本発明を実施するための形態を、図１〜７を用いて説明する。まず、図１〜６を参照して、実施例に係る位置合わせ治具１を説明する。この位置合わせ治具１は、主として、ベースプレート１０と、このベースプレート１０に対して揺動可能な下スィングプレート３０と、この下スィングプレート３０に対して揺動可能な上スィングプレート５０と、この上スィングプレート５０に対してワークを取り付け可能なバイス６０とから構成されている（図１〜３参照）。以下に、これらベースプレート１０と、下スィングプレート３０と、上スィングプレート５０と、バイス６０とを個別に説明していく。
【００１２】
はじめに、ベースプレート１０から説明していく。このベースプレート１０は、略矩形に形成されており、位置合わせ治具１のベースを成すものである。このベースプレート１０の表面には、一対のクランプブラケット２０が対向するように組み付けられている。この一対のクランプブラケット２０には、挿込孔２２がそれぞれ形成されている。この各挿込孔２２には、後述する下スィングプレート３０の一対のピンブラケット４０の各ピン４２がそれぞれ挿し込まれている。また、この一対のクランプブラケット２０には、挿込孔２２の外周面が外部と連通する切欠２２ａがそれぞれ形成されている。
【００１３】
この切欠２２ａは、後述する組付孔２６に螺合されるハンドル２８を締め付けると、この切欠２２ａ自身が閉塞されるように形成されている。また、この一対のクランプブラケット２０には、２本のボルトＢ１に螺合可能なネジが形成された組付穴２４と組付孔２６とがそれぞれ形成されている。これにより、ベースプレート１０の裏面側から２個の組付孔１２に挿し込んだ２本のボルトＢ１を組付穴２４と組付孔２６とに螺合させることで、このベースプレート１０の表面に一対のクランプブラケット２０を組み付けることができる。
【００１４】
なお、ベースプレート１０の組付孔１２には、挿し込んだボルトＢ１の頭部Ｂ１ａを埋め込み可能なザグリ１４が形成されている。これにより、ベースプレート１０の裏面側からボルトＢ１を介してベースプレート１０の表面にクランプブラケット２０を組み付けても、このクランプブラケット２０を組み付けたベースプレート１０の裏面側をフラットにできる（図４〜５参照）。
【００１５】
次に、下スィングプレート３０を説明する。この下スィングプレート３０は、略八角形に形成されており、ベースプレート１０に対して揺動可能なものである。この下スィングプレート３０の表面には、一対のピンブラケット４０が対向するように組み付けられている。この一対のピンブラケット４０には、ピン４２がそれぞれ形成されている。この各ピン４２は、上述したベースプレート１０の一対のクランプブラケット２０の各挿込孔２２にそれぞれ挿し込まれている。このとき、ベースプレート１０の一対のクランプブラケット２０と下スィングプレート３０の一対のピンブラケット４０との間には、隙Ｓがそれぞれ設定されている（図６参照）。
【００１６】
また、このピンブラケット４０には、ボルトＢ２を挿し込み可能な組付孔４４が形成されている。これにより、ピンブラケット４０の組付孔４４に挿し込んだボルトＢ２を下スィングプレート３０の組付孔３２に螺合させることで、この下スィングプレート３０の表面に一対のピンブラケット４０を組み付けることができる。また、この下スィングプレート３０の表面には、一対のクランプブラケット２０が対向するように組み付けられている。
【００１７】
この一対のクランプブラケット２０の各挿込孔２２には、後述する上スィングプレート５０の一対のピンブラケット４０の各ピン４２がそれぞれ挿し込まれている。また、このクランプブラケット２０には、既に説明したように、２本のボルトＢ１に螺合可能なネジが形成された組付穴２４と組付孔２６とが形成されている。これにより、下スィングプレート３０の裏面側から２個の組付孔３４に挿し込んだ２本のボルトＢ１を組付穴２４と組付孔２６とに螺合させることで、この下スィングプレート３０の表面に一対のクランプブラケット２０を組み付けることができる。
【００１８】
なお、下スィングプレート３０の組付孔３４には、挿し込んだボルトＢ１の頭部Ｂ１ａを埋め込み可能なザグリ３６が形成されている。そのため、下スィングプレート３０の裏面側からボルトＢ１によって下スィングプレート３０の表面にクランプブラケット２０を組み付けても、このクランプブラケット２０を組み付けた下スィングプレート３０の裏面側をフラットにできる。
【００１９】
また、この下スィングプレート３０の表面に組み付けられた一対のピンブラケット４０の各ピン４２の軸芯ラインＬ２と、上述したベースプレート１０の表面に組み付けられた一対のピンブラケット４０の各ピン４２の軸芯ラインＬ１とは、直交するように設定されている（図３参照）。この下スィングプレート３０が、特許請求の範囲に記載の「スィングプレート」に相当する。
【００２０】
次に、上スィングプレート５０を説明する。この上スィングプレート５０は、略九角形に形成されており、下スィングプレート３０に対して揺動可能なものである。この上スィングプレート５０の表面には、一対のピンブラケット４０が対向するように組み付けられている。この一対のピンブラケット４０の各ピン４２は、上述した下スィングプレート３０の一対のクランプブラケット２０の各挿込孔２２にそれぞれ挿し込まれている。このときも、下スィングプレート３０の一対のクランプブラケット２０と上スィングプレート５０の一対のピンブラケット４０との間には、隙Ｓがそれぞれ設定されている。
【００２１】
また、このピンブラケット４０には、既に説明したように、ボルトＢ２を挿し込み可能な組付孔４４が形成されている。これにより、ピンブラケット４０の組付孔４４に挿し込んだボルトＢ２を上スィングプレート５０の組付孔５２に螺合させることで、この上スィングプレート５０の表面にピンブラケット４０を組み付けることができる。この上スィングプレート５０が、特許請求の範囲に記載の「補助スィングプレート」に相当する。
【００２２】
最後に、バイス６０を説明する。このバイス６０は、所謂、万力であり、ワーク（図示しない）を挟み込み可能となっている。このバイス６０は、上スィングプレート５０の組付孔５４に４本のボルトＢ３をそれぞれ螺合させることで、この上スィングプレート５０の表面に組み付けられている。このバイス６０により、上スィングプレート５０の表面にワークを取り付けることができる。位置合わせ治具１は、これらベースプレート１０と、下スィングプレート３０と、上スィングプレート５０と、バイス６０とから構成されている。
【００２３】
続いて、上述した位置合わせ治具１の作用を説明する。下スィングプレート３０の一対のピンブラケット４０の各ピン４２は、ベースプレート１０の一対のクランプブラケット２０の各挿込孔２２にそれぞれ挿し込まれている。そのため、ベースプレート１０に対して下スィングプレート３０を揺動させることができる。なお、この揺動は、ベースプレート１０の一対のクランプブラケット２０の各ハンドルを締め付けることで規制（保持）できる。
【００２４】
これと同様に、上スィングプレート５０の一対のピンブラケット４０の各ピン４２は、下スィングプレート３０の一対のクランプブラケット２０の各挿込孔２２にそれぞれ挿し込まれている。そのため、下スィングプレート３０に対して上スィングプレート５０を揺動させることができる。なお、この揺動は、下スィングプレート３０の一対のクランプブラケット２０の各ハンドルを締め付けることで規制（保持）できる。これらの揺動により、従来技術と同様に、ベースプレート１０に対して傾斜させた状態でワークを保持できる。したがって、この傾斜させた状態でのワークの位置合わせ（調節）を簡便に実施できる。
【００２５】
また、ベースプレート１０の一対のクランプブラケット２０と下スィングプレート３０の一対のピンブラケット４０との間には、隙Ｓがそれぞれ設定されている。そのため、ベースプレート１０に対して下スィングプレート３０を軸芯ラインＬ２の方向に沿って隙Ｓの長さだけスライドさせることができる。なお、このスライドは、ベースプレート１０の一対のクランプブラケット２０の各ハンドルを締め付けることで規制（保持）できる。
【００２６】
また、これと同様に、下スィングプレート３０の一対のクランプブラケット２０と上スィングプレート５０の一対のピンブラケット４０との間には、隙Ｓがそれぞれ設定されている。そのため、下スィングプレート３０に対して上スィングプレート５０を軸芯ラインＬ１の方向に沿って隙Ｓの長さだけスライドさせることができる（図７参照）。なお、このスライドは、下スィングプレート３０の一対のクランプブラケット２０の各ハンドルを締め付けることで規制（保持）できる。これらのスライドにより、ベースプレート１０に対して傾斜させた状態でワークを保持できる。したがって、スライドさせた状態でのワークの位置合わせ（調節）も簡便に実施できる。
【００２７】
上述した内容は、あくまでも本発明の一実施の形態に関するものであって、本発明が上記内容に限定されることを意味するものではない。
【００２８】
実施例では、位置合わせ治具１は、主として、ベースプレート１０と、このベースプレート１０に対して揺動可能な下スィングプレート３０と、この下スィングプレート３０に対して揺動可能な上スィングプレート５０と、この上スィングプレート５０に対してワークを取り付け可能なバイス６０とから構成されている形態を説明した。しかし、これに限定されるものでなく、位置合わせ治具１は、主として、ベースプレート１０と、このベースプレート１０に対して揺動可能な下スィングプレート３０と、この下スィングプレート３０に対してワークを取り付け可能なバイス６０とから構成されている形態でも構わない。
【００２９】
また、実施例では、バイス６０によってワークを取り付ける形態を説明した。しかし、これに限定されるものでなく、各種の公知の器具によってワークを取り付ける形態でも構わない。
【００３０】
また、実施例では、ベースプレート１０に対して下スィングプレート３０を軸芯ラインＬ２の方向に沿って隙Ｓの長さだけスライド（第１のスライド）させることができると共に、下スィングプレート３０に対して上スィングプレート５０を軸芯ラインＬ１の方向に沿って隙Ｓの長さだけスライド（第２のスライド）させることができる形態を説明した。しかし、これに限定されるものでなく、これら第１のスライドと第２のスライドのうち、いずれか一方のスライドだけできる形態であっても構わない。
【符号の説明】
【００３１】
１      位置合わせ治具
１０    ベースプレート
３０    下スィングプレート（スィングプレート）
４２    ピン（第１の軸、第２の軸、第３の軸、第４の軸）
５０    上スィングプレート（補助スィングプレート）
【図１】
0006529813.tif 000002
【図２】
0006529813.tif 000003
【図３】
0006529813.tif 000004
【図４】
0006529813.tif 000005
【図５】
0006529813.tif 000006
【図６】
0006529813.tif 000007
【図７】
0006529813.tif 000008